(57)【要約】【課題】方向性継電装置を含む複線図式の電気回路図が表示された画面上において方向性継電装置の結線状態や動作を視覚的に確認できる電気回路設計支援装置を得る。【解決手段】ＣＡＤの電子データに基づく方向性保護継電装置を含む複線図式の電気回路図が、電気回路図表示手段３１によりディスプレイ４０の画面に表示されている。当該画面上で端子結線確認手段３３により方向性保護継電装置の入力端子に結線が全てされているかを確認し、結線に抜けがあれば画面上の電気回路図を修正する。しかる後、方向性保護継電装置模擬装置５０に模擬入力を与えて保護方向を含めた動作確認をし、画面に表示されている電気回路図に対応させて、模擬入力値や保護方向を表示する。画面に表示されている電気回路図上で方向性保護継電装置の入力端子の結線を視覚的に確認でき、保護方向等も表示されるので、電気回路図の結線の誤りを防止できる。【選択図】図１
2007189858.tif 000002
【特許請求の範囲】
【請求項１】
電気回路図作成ソフトウェアにより作成された電子データに基づき複線図で表された電気回路図を表示装置に表示するものであって上記電気回路図は入力される電気量の方向が所定方向のとき動作する方向性継電装置を含むものである電気回路表示手段、上記方向性継電装置を上記電気回路図上で選択する対象機器選択手段、上記選択された方向性継電装置の接続端子の全てに上記電気回路図上結線がされていることを確認する結線確認手段、上記選択された方向性継電装置の設定値を設定する設定値設定手段、上記選択された方向性継電装置の動作を模擬する方向性継電装置模擬装置、上記方向性継電装置模擬装置に入力する模擬入力値を設定する模擬入力値設定手段、及び上記設定値と上記模擬入力値と上記所定方向とを上記電子データに追加するとともに上記電気回路図に対応させて上記表示装置に表示する設定値等追加及び表示手段を備えた電気回路設計支援装置。
【請求項２】
上記方向性継電装置の上記設定値と上記模擬入力値と上記動作方向とが追加された上記電子データの中から上記方向性継電装置の上記設定値と上記模擬入力値と上記所定方向とを抽出して管理リストを作成する管理リスト作成手段を設けたものであることを特徴とする請求項１に記載の電気回路設計支援装置。
【請求項３】
請求項１における上記方向性継電装置の上記設定値と上記模擬入力値と上記所定方向とが追加された上記電子データに基づき複線図で表された電気回路図を表示装置に表示するものであって上記電気回路図は入力される電気量の方向が所定方向のとき動作する方向性継電装置を含むものである試験用電気回路表示手段、上記方向性継電装置を上記電気回路図上で選択する試験対象機器選択手段、上記選択された方向性継電装置に対応する実機の方向性継電装置に所定の電気的量を与えて試験する試験装置を備えた方向性継電装置試験支援装置。
【発明の詳細な説明】
【技術分野】
【０００１】
この発明は、例えば方向性継電装置を含む電気回路図の作成を支援する電気回路設計支援装置及び保護継電装置の試験作業を支援する方向性継電装置試験支援装置に関するものである。
【背景技術】
【０００２】
従来の電気回路設計支援装置としての方向性保護継電装置の動作確認装置として、保護対象の電力系統の特性データと各設備に配置されている方向性保護継電装置の特性データを用いて、別途行った故障計算から方向性保護継電装置の設定値の妥当性を確認するものがある（例えば、特許文献１参照）。
【０００３】
【特許文献１】特開昭５６−０７４０１４号公報（第４頁〜第８頁及び第１図）
【発明の開示】
【発明が解決しようとする課題】
【０００４】
従来の方向性保護継電装置の動作確認装置では、確認作業に使用する電力系統の特性データ及び方向性保護継電装置の動作特性データはすべて単線図に集約されて与えられていた。しかし方向性保護継電装置の場合には、最終的に方向性保護継電装置の入力端子への結線方法で保護方向が決定されるが、従来の動作確認装置のような単線図に集約された装置では方向性保護継電装置の結線状態まで確認することを考慮していないため、実際に結線された図面上の結線状態が設計者が意図した方向を保護しているかまでは確認されていなかった。また、方向性保護継電装置の管理情報として設定値リストがあるが、対象となる方向性保護継電装置の保護方向の記載は入力電気回路の結線状態に依存するにもかかわらず、電気回路図との関連性が確保されず電気回路図とは独立して管理されている。
【０００５】
このため、運用者が設定値リストで意図した保護方向となっていると確認していたとしても、実際の図面上の結線状態では保護方向が意図した方向とは反対の方向を保護している状況もあり得た。さらに、方向性保護継電装置の試験の際には、保護方向の確認は模擬入力の状態に依存して方向性保護継電装置の動作の有無が変化することによって確認しており、実際に方向性保護継電装置が組み込まれた電気回路図上において入力値や方向性保護継電装置の動作を視覚的に確認することが困難であった。
【０００６】
この発明は上記のような課題を解決するためになされたものであり、方向性継電器装置が組み込まれた電気回路図上において方向性継電器装置の結線や動作を視覚的に確認でき、また方向性継電装置の保護方向を電気回路図と関連づけた管理リストを作成できる電気回路設計支援装置及び電気回路図と対応させて方向性継電装置の設定値や方向性継電装置の動作を視覚的に確認することのできる方向性継電装置試験支援装置を得ることを目的とする。
【課題を解決するための手段】
【０００７】
この発明に係る電気回路設計支援装置においては、電気回路図作成ソフトウェアにより作成された電子データに基づき複線図で表された電気回路図を表示装置に表示するものであって電気回路図は入力される電気量の方向が所定方向のとき動作する方向性継電装置を含むものである電気回路表示手段、方向性継電装置を電気回路図上で選択する対象機器選択手段、選択された方向性継電装置の接続端子の全てに電気回路図上結線がされていることを確認する結線確認手段、選択された方向性継電装置の設定値を設定する設定値設定手段、選択された方向性継電装置の動作を模擬する方向性継電装置模擬装置、方向性継電装置模擬装置に入力する模擬入力値を設定する模擬入力値設定手段、及び設定値と模擬入力値と所定方向とを電子データに追加するとともに電気回路図に対応させて表示装置に表示する設定値等追加及び表示手段を備えたものである。
【０００８】
また、この発明に係る方向性継電装置試験支援装置においては、方向性継電装置の設定値と模擬入力値と所定方向とが追加された電子データに基づき複線図で表された電気回路図を表示装置に表示するものであって電気回路図は入力される電気量の方向が所定方向のとき動作する方向性継電装置を含むものである試験用電気回路表示手段、方向性継電装置を電気回路図上で選択する試験対象機器選択手段、選択された方向性継電装置に対応する実機の方向性継電装置に所定の電気的量を与えて試験する試験装置を備えたものである。
【発明の効果】
【０００９】
この発明の電気回路設計支援装置は、電気回路図作成ソフトウェアにより作成された電子データに基づき複線図で表された電気回路図を表示装置に表示するものであって電気回路図は入力される電気量の方向が所定方向のとき動作する方向性継電装置を含むものである電気回路表示手段、方向性継電装置を電気回路図上で選択する対象機器選択手段、選択された方向性継電装置の接続端子の全てに電気回路図上結線がされていることを確認する結線確認手段、選択された方向性継電装置の設定値を設定する設定値設定手段、選択された方向性継電装置の動作を模擬する方向性継電装置模擬装置、方向性継電装置模擬装置に入力する模擬入力値を設定する模擬入力値設定手段、及び設定値と模擬入力値と所定方向とを電子データに追加するとともに電気回路図に対応させて表示装置に表示する設定値等追加及び表示手段を備えたので、電気回路図が表示された画面上で方向性継電装置への線の接続状態や動作を視覚的に確認でき電気回路図の作成が容易になり、結線の誤りを防止できる。
【００１０】
また、この発明に係る方向性継電装置試験支援装置は、方向性継電装置の設定値と模擬入力値と所定方向とが追加された電子データに基づき複線図で表された電気回路図を表示装置に表示するものであって電気回路図は入力される電気量の方向が所定方向のとき動作する方向性継電装置を含むものである試験用電気回路表示手段、方向性継電装置を電気回路図上で選択する試験対象機器選択手段、選択された方向性継電装置に対応する実機の方向性継電装置に所定の電気的量を与えて試験する試験装置を備えたので、電気回路図が表示された画面上で方向性継電装置に試験のために与えるべき電気的量の設定や動作の確認を視覚的に行うことができ試験が容易になるとともに試験の誤りを防ぐことができる。
【発明を実施するための最良の形態】
【００１１】
実施の形態１．
以下、この発明の実施の形態１を図１〜図６に基づいて説明する。図１は、電気回路設計支援装置の構成図、図２は動作を示すフローチャート、図３及び図４はディスプレイの画面を示す説明図、図５は計器用変流器の電流方向を示す説明図、図６はディスプレイの画面を示す説明図である。図１において、電気回路設計支援装置１は電気回路確認装置３０、表示装置としての液晶によるディスプレイ４０、模擬入力値設定手段４１、方向性保護継電装置模擬装置５０を有する。電気回路確認装置３０は電気回路図表示手段３１、対象機器選択手段３２、端子結線確認手段３３、設定値設定手段３４、設定値等追加及び表示手段３７を有する。また、方向性保護継電装置模擬装置５０は、動作アルゴリズム記憶手段５１、動作アルゴリズム読出手段５２、動作有無判定手段５５を有する。電気回路設計支援装置１は、計算機にて実現されている。なお、動作アルゴリズム記憶手段５１には、図示しない入出力装置を介して方向性保護継電装置１６（後述）の動作アルゴリズムデータが入力され記憶されている。
【００１２】
次に動作について図２のフローチャートにより説明する。対象とする方向性継電器装置としての方向性保護継電装置１６が組み込まれた図３に示すような電気回路図１０は、ＣＡＤ（computer-aided design）の電子データとして存在しており、電気回路図表示手段３１がＣＡＤアプリケーションソフトウェアを用いてディスプレイ４０上に複線図（この場合、３線図）の電気回路図１０を表示する（Ｓ１１）。同時に、設定値表示窓２１、電圧表示窓２２、電流表示窓２３、電流方向表示窓２４、保護方向表示窓２５、動作不動作表示窓２６が表示される。とりあえずは、各窓内の表示はブランクである。また、画面の上部に方向性保護継電装置１６の動作特性を確認するための動作ボタン２７、確定ボタン２８及びＮＧ（不可）ボタン２９が表示される（図４参照）。
【００１３】
上記電気回路図１０において、方向性保護継電装置１６（例えば電力方向継電装置）には、母線１１に接続された計器用変圧器１４及び計器用変流器１５から母線１１の電圧及び電流が入力端子１６１を介して入力されるようになっている。操作者が対象機器選択手段３２であるポインタマウスにより図３に表示されている方向性保護継電装置１６（実際は複数設けられているがそのうちの１台を図示している）のうちの１台を選択し（ステップＳ１２）、選択された方向性保護継電装置１６の形式名ＡＡ−ＢＢと動作アルゴリズム記憶手段５１に記憶されている方向性保護継電装置の形式名とを比較する（ステップＳ１３）。
【００１４】
ステップＳ１３においてポインタマウスで選択した方向性保護継電装置１６の形式名ＡＡ−ＢＢが動作アルゴリズム記憶手段５１に記憶されている方向性保護継電装置の形式名のいずれとも一致しない場合には、選択が不適切であることをディスプレイ４０にメッセージ表示し（Ｓ１４）、ステップＳ１２へ戻る。両者の形式名が一致した場合は、ディスプレイ４０に一致した旨メッセージ表示されるので、確定ボタン２８を操作する（ステップＳ１５）。
【００１５】
１台の方向性保護継電装置１６の選択が完了し、確定ボタン２８が操作されると、端子結線確認手段３３は動作アルゴリズム読出手段５２を介して動作アルゴリズム記憶手段５１に記憶された当該方向性保護継電装置１６の電圧及び電流信号の入力端子１６１の番号を読み出し（ステップＳ１６）、ディスプレイ４０に表示されている方向性保護継電装置１６の入力端子１６１の全端子に入力用の線が電気回路図上で結線されていることを確認する（Ｓ１７）。
【００１６】
Ｓ１７において、選択した方向性保護継電装置１６に対して動作アルゴリズム記憶手段５１に記憶されている電圧、電流信号の入力端子１６１の全てに結線が行われていない場合には、結線が不完全で以降の動作が不可であることをディスプレイ４０にメッセージ表示し（Ｓ１８）、ステップＳ１１へ戻る。この場合、作業者が電気回路図上で入力端子すべてに結線を実施した後、再度電気回路図を表示し、ステップＳ１２以降の動作を行う。
【００１７】
ステップＳ１７において、方向性保護継電装置１６の入力端子１６１に電圧及び電流入力用の結線が完全に行われている場合は、設定値設定手段３４（図１）により図４に示す画面で表示されている方向性保護継電装置１６の設定値Ｅ［Ω］、α［度］を入力するとともに、模擬入力値設定手段４１により模擬用の電圧Ｇ［ｋＶ］、模擬用の電流Ｊ［Ａ］（以下、模擬用の電圧Ｇと電流Ｊとを合わせて模擬用入力値Ｇ，Ｊという）を設定する（Ｓ１９）。これら設定値、模擬用の電圧、模擬用の電流、電流の方向は、設定値等追加及び表示手段３７により設定値表示窓２１、電圧表示窓２２、電流表示窓２３、電流方向表示窓２４に表示される。
【００１８】
模擬用の電流Ｊについては図４の電流表示窓２３に示すように入力される電気量である電流の所定方向でありかつ保護方向である電流方向Ｋと、当該電流の電圧に対する位相差（遅れ９０°〜０°〜進み９０°）で指定する。なお、模擬用の電流Ｊの方向に対応する計器用の変流器の２次側の電流の向きは図５（ａ）あるいは図５（ｂ）に示す一次電流の方向Ｊ１（保護方向の矢印Ｍ）と二次側の電流の方向Ｊ２の関係から判定する。
【００１９】
ステップＳ１９において、方向性保護継電装置１６の模擬用入力値Ｇ，Ｊの設定が完了したら、図４に示す画面の左上に表示されている動作ボタン２７を操作（ポインタマウスでクリック）する（ステップＳ２０）。動作ボタン２７をクリックすると、動作アルゴリズム読出手段５２は動作アルゴリズム記憶手段５１から当該方向性保護継電装置１６の動作演算式を読み出す（ステップＳ２１）。動作有無判定手段５５が図４に示した画面において操作者によって入力された模擬用入力値Ｇ，Ｊに対してＣＡＤアプリケーションで既に入力されている変成器変成比（変圧比Ｃ１、変流比Ｄ１）を乗ずることで変成器２次側の電圧及び電流値に換算し、方向性保護継電装置１６の動作演算式に代入して方向性保護継電装置１６が動作するか否か（動作有無）の判定を行い、判定結果をディスプレイ４０の動作不動作表示窓２６（図４）に表示する（Ｓ２２）。併せて、設定値Ｅ［Ω］、α［度］、模擬入力値Ｇ，Ｊ、電流方向Ｋを各表示窓２１〜２４に表示する（ステップＳ２３）。操作者は想定した事故時の電圧及び電流に相当する模擬用入力値Ｇ，Ｊを図４に示す画面で設定するのであるが、操作者が意図した電圧及び電流状態による方向性保護継電装置１６の動作の有無の結果が問題ないか確認する（Ｓ２４）。
【００２０】
ステップＳ２４において、操作者が確認した結果、操作者の意図した方向の保護特性が得られない場合には、不適である旨メッセージ表示する（ステップＳ２５）。この場合、操作者は当該不適メッセージを確認してＮＧボタン２９を操作（クリック）して方向性保護継電装置１６の設定値及び模擬入力値をクリヤし設定値や結線を見直し（ステップＳ２６）、Ｓ１９の設定値及び模擬用入力値の設定画面へ戻る。ステップＳ２４において、問題なければ確定ボタン２８を操作する（Ｓ２７）。このとき、確定した電流方向Ｋが入力される電気量としての電流の所定方向である保護方向Ｍとして画面の保護方向表示窓２５に表示される。確定ボタン２８を操作後、方向性保護継電装置１６の設定値Ｅ［Ω］、α［度］及び図４に示した画面で入力した電流方向Ｋである保護方向Ｍを画面に表示された電気回路図１０上に表示するとともに電子データに追記して（ステップＳ２８）、終了する。なお、図２のフローチャートに示していないがすべての方向性保護継電装置の動作有無の確認が終われば全作業が終了する。
【００２１】
以上のように、この実施の形態によれば、ディスプレイ４０に表示された電気回路設計用ＣＡＤアプリケーションにより作成された電子データによる電気回路図１０の画面上で、設計中の結線状態を反映して方向性継電装置である方向性保護継電装置１６の入力端子への線の接続状態を確認でき、方向性保護継電装置の動作アルゴリズムに対して、想定する事故時の電圧値及び電流値として模擬用の電圧及び電流と、模擬用の電流の方向と、その模擬用の電圧に対する位相差とを入力し、想定どおりに方向性保護継電装置が動作することを視覚的に確認できる。すなわち、電気回路図が表示された画面上で方向性継電装置への線の接続状態や動作を視覚的に確認でき、電気回路図の作成が容易になる。
【００２２】
また、従来のＣＡＤアプリケーションが保有している機能を損なわずに機能を付加させているため、方向性保護継電装置の動作確認のために別の装置の起動や操作、あるいは方向性保護継電装置の動作アルゴリズムを説明した資料やデータの参照の必要がないので、作業性が向上する。さらに、確認の結果、方向性保護継電装置が設計者の意図しない保護方向で動作した場合には、電気回路図を作成するＣＡＤアプリケーションが従来から有する機能を使用して電気回路図の結線をその場で変更可能であるため、修正漏れを防ぐことができる。
【００２３】
実施の形態２．
図７〜図９は、実施の形態２を示すものであり、図７は電気回路設計支援装置の構成図、図８は動作を示すフローチャート、図９はディスプレイの画面を示す説明図である。図７において、管理リスト作成手段６０は、対象機器選択段６１、設定値等転記手段６２、保護方向表記手段６３、表記方法修正手段６５を有する。管理リスト作成手段６０は、図４に示す画面で入力した方向性保護継電装置１６の設定値Ｅ［Ω］、α［度］及び模擬用の電流Ｊの電流の方向（保護方向）Ｋ及びＣＡＤアプリケーションで入力された方向性保護継電装置１６の形式名ＡＡ−ＢＢ及び変成器変成比Ｃ１，Ｄ１等の管理リストを使用することによって管理リストを作成する。なお、この管理リスト作成手段６０の機能は、従来のＣＡＤアプリケーションが具備するものである。その他の構成については、図１に示した実施の形態１と同様のものであるので、相当するものに同じ符号を付して説明を省略する。
【００２４】
次に、動作について図８のフローチャートにより説明する。操作者がすべての方向性保護継電装置の動作特性確認を完了し、保護方向を確定した状態の電気回路図が、図９のようにディスプレイ４０に表示される（Ｓ２１）。対象機器選択段６１は、例えば所定の方向性保護継電装置１６を図示しないポインタマウスで選択する（Ｓ２２）。設定値等転記手段６２は、選択した方向性保護継電装置１６に関して電気回路図１０上に表示されかつＣＡＤアプリケーション上で属性として保存されている電子データから当該方向性保護継電装置１６の形式名ＡＡ−ＢＢ及び設定値Ｅ［Ω］、α［度］並びに変成器変成比Ｃ１，Ｄ１を抽出して図９に示す設定値リストＬのフォームＦに転記する（Ｓ２３）。
【００２５】
次に、保護方向Ｍは図９に示すように電気回路図１０の該当箇所に矢印で表示されているため設定値リストＬのフォームＦにそのまま転記しても方向が分からず有意な情報とはならない。そこで、保護方向表記手段６３は電気回路図１０上で保護方向Ｍの起点の位置から保護方向Ｍが示す方向に電気回路図１０上の回路に沿って最初に表示されている電気機器である変圧器１２に「方向」の文字を付して「変圧器１２方向」とフォームＦに表示する（Ｓ２４）。操作者は表示された方向性保護継電装置１６の保護方向の表現が適切と判断すれば（Ｓ２５）、確定ボタンを操作する（ステップＳ２６）。
【００２６】
ステップＳ２５において保護方向の表現が不適切と判断した場合には、ＮＧボタン２９（図４）を操作する（Ｓ２７）。例えば、上記ステップＳ２４における「変圧器１２方向」なる表現は、保護方向の表現として適切であるが、例えば「変流器方向」なる表現がなされた場合、変流器は直接の保護対象ではないので、不適切な表現である。そして、ＮＧボタン２９が操作された場合、表記方法修正手段６５は電気回路図１０上で表現が不適切と判断された電気機器（図示しないが例えば計器用変流器）よりさらに矢印Ｋの先（図９で右方）に電気機器があるか否かを判断し（ステップＳ２８）、先に電気機器があれば当該電気機器の名称と「方向」の文字を組み合わせて表示し（Ｓ２９）、ステップＳ２５へ戻り保護方向の表現が適切かどうか判断する。
【００２７】
ステップＳ２８において、変圧器１２から矢印方向Ｋの先に電気機器がない場合には、保護方向の先に電気機器がないことをメッセージ表示して（ステップＳ３０）、操作者が手動で保護方向の表現を記入する（Ｓ３１）。この場合、本電気回路図１０の範囲外となるが、一般的に他の電気回路の電気機器と接続されていることが多いので、操作者が関連図等を調べて手動で保護方向の表現を記入する。そして、全部の方向性保護継電装置１６についてフォームＦへ記載したら終了する（ステップＳ３２）。
【００２８】
本実施の形態によれば、図９に示すディスプレー４０に表示された電気回路図１０の方向性継電装置である方向性保護継電装置１６の所定方向である保護方向から方向性保護継電装置の管理リストを作成することが可能となり、電気回路図が表示された画面上で管理リストの作成が行うことができるので、作成作業が容易であるとともに、実際の方向性保護継電装置の状態と管理リストの記載の不一致を防止することが可能となる。
【００２９】
実施の形態３．
図１０〜図１２、はこの発明の実施の形態３を示すものであり、図１０は方向性継電装置試験支援装置の構成図、図１１は動作を示すフローチャート、図１２はディスプレイの画面を示す説明図である。図１０において電気回路表示装置７０は、試験用電気回路図表示手段としての電気回路図表示手段７１、試験対象機器選択手段としての対象機器選択手段７２、実電圧実電流読込手段７３、試験用設定値等表示手段としての設定値等表示手段７４を有する。この実施の形態においては、電気回路表示装置７０と試験装置８１と実機である方向性保護継電装置８５とを組み合わせて図１２に示すような電気回路図１０をディスプレイ４０に表示して画面上で可視的に方向性保護継電装置８５の試験を行うものである。その他の構成については、図１に示した実施の形態１と同様のものであるので、相当するものに同じ符号を付して説明を省略する。
【００３０】
次に、動作を図１１のフローチャートにより説明する。まず、電気回路図１０が電気回路図表示手段７１により図１２に示すようにディスプレイ４０に表示される（Ｓ５１）。この表示される電気回路図１０は、実施の形態１における電気回路設計支援装置１により電気回路図上で方向性保護継電装置１６の結線及び動作の確認が完了済みのものである。同時に、設定値表示窓２１、電圧表示窓２２、電流表示窓２３、電流方向表示窓２４、保護方向表示窓２５、動作不動作表示窓２６が表示され、設定値表示窓２１には設定値が表示されている。その他の窓にはこれから試験を行った数値が表示されるが、現時点ではブランクである。画面の上部に方向性保護継電装置１６の動作特性を確認するための動作ボタン２７、確定ボタン２８及びＮＧボタン２９が表示される。なお、図示していないが、方向性保護継電装置１６は複数ある。
【００３１】
ディスプレイ４０に表示されている電気回路図１０の方向性保護継電装置１６を対象機器選択手段７２であるポインタマウスで選択する（Ｓ５２）。選択された方向性保護継電装置１６の形式名ＡＡ−ＢＢと試験用に接続されている図１０の実機の方向性保護継電装置８５に記録されている形式名が一致するか否かを判断し（ステップＳ５３）、一致しない場合は選択不適切のメッセージを表示し（ステップＳ５４）、ステップＳ５２に戻る。
【００３２】
一致した場合は、ディスプレイ４０にその旨メッセージ表示し、試験開始の準備が整ったことを知らせる（ステップＳ５５）。なお、方向性保護継電装置１６の入力端子１６１の全端子に入力用の線が電気回路図１０上で結線されていることは確認済みであるのでこの段階での確認は不要である。設定値表示窓２１で表示されている方向性保護継電装置１６の設定値Ｅ［Ω］、α［度］を試験装置８１に入力するとともに試験用の電圧Ｇ［ｋＶ］、試験用の電流Ｊ［Ａ］（以下、試験用の電圧Ｇと電流Ｊとを合わせて試験用入力値Ｇ，Ｊという）を試験装置８１に入力する（Ｓ５６）。試験用の電流Ｊについては図１２の電流表示窓２３に示すように電流方向Ｋと電圧に対する位相差（遅れ９０°〜０°〜進み９０°）で指定する。
【００３３】
ステップＳ５６における方向性保護継電装置８５の試験用入力値Ｇ，Ｊの入力が完了したら、画面の左上に表示されている動作ボタン２７を操作し、試験装置８１により当該方向性保護継電装置８５に試験用入力値Ｇ，Ｊに相当する電圧及び電流を与える（ステップＳ５７）。そして、方向性保護継電装置８５が動作するか否かの動作有無の判定を行い結果が動作不動作表示窓２６に表示されるので、操作者は意図した電圧及び電流状態による方向性保護継電装置８５の動作の有無の結果が問題ないか確認する（Ｓ５８）。なお、試験時に実電圧実電流読込手段７１が方向性保護継電装置８５に実際に流れる電圧及び電流を読み込み、設定等表示手段７４がディスプレイ４０に設けられた電圧表示窓２２、電流表示窓２３に、先に設定した試験電圧及び電流のそれぞれ下の段に並べて表示する。
【００３４】
ステップＳ５８において、操作者が確認した結果、操作者の意図した方向の保護特性が得られない場合には、不可である旨エラーメッセージを表示する（ステップＳ５９）。この場合、操作者は当該エラーメッセージを確認してＮＧボタン２９を操作して方向性保護継電装置８５の設定値及び試験用入力値をクリヤし、結線や設定値の見直しを行い（ステップＳ６０）、Ｓ５６の設定値及び試験用入力値の入力画面へ戻る。ステップＳ５８において、問題なければ確定ボタン２８を操作し、次の方向性保護継電装置８５を試験するためにステップＳ５２へ戻る。全ての方向性保護継電装置８５について試験が完了すれば（ステップＳ６１）、終了する。
【００３５】
この実施の形態によれば、方向性保護継電装置８５の試験状態を図１２に示すディスプレイ４０の画面に表示される電気回路図１０上で可視的に確認することが可能となり、試験時の確認の誤りを防ぐことが可能となる。また、電気回路図１０をＣＡＤアプリケーションの電子データの形式で設計時と試験時に共有していることから、試験の結果、方向性保護継電装置８５の設定値に変更が必要となった場合には、設定値の修正を電気回路図１０に直接反映させることができるため、設定値の修正内容の電気回路図１０への反映漏れを防ぐことが可能となる。また、実電圧実電流読込手段７３は、試験時に方向性保護継電装置８５に実際に流れる電圧、電流及び電流の方向をディスプレイ４０に設けられた各窓２１〜２４に表示するので、方向性保護継電装置８５の入力回路の故障等により設定した入力値と相違が生ずれば容易に発見することができる。すなわち、で電気回路図が表示された画面上で方向性継電装置に試験のために与えるべき電気的量の設定や動作の確認を視覚的に行うことができるので、試験が容易になるとともに試験の誤りを防ぐことができる。
【００３６】
なお、上記各実施の形態では方向性継電装置として方向性保護継電装置１６の例を示したが、これに限定されるものではなく、保護以外に用いられる他の方向性継電装置であっても同様の効果を奏する。
【図面の簡単な説明】
【００３７】
【図１】この発明を実施するための実施の形態１の電気回路設計支援装置の構成図である。
【図２】図１の電気回路設計支援装置の動作を示すフローチャートである。
【図３】ディスプレイの画面を示す説明図である。
【図４】ディスプレイの画面を示す説明図である。
【図５】計器用の変流器の電流方向を示す説明図である。
【図６】ディスプレイの画面を示す説明図である。
【図７】この発明の実施の形態２を示す電気回路設計支援装置の構成図である。
【図８】図７の電気回路設計支援装置の動作を示すフローチャートである。
【図９】ディスプレイの画面を示す説明図である。
【図１０】この発明の実施の形態３を示す方向性継電装置試験支援装置の構成図である。
【図１１】図１０の方向性継電装置試験支援装置の動作を示すフローチャートである。
【図１２】ディスプレイの画面を示す説明図である。
【符号の説明】
【００３８】
１  電気回路設計支援装置、１０  電気回路図、１６  方向性保護継電装置、
１６１  入力端子、３０  電気回路確認支援装置、３１  電気回路図表示手段、
３２  対象機器選択手段、３３  端子結線確認手段、３４  設定値設定手段、
３７  設定値等追加及び表示手段、４０  ディスプレイ、４１  模擬入力値設定手段、
５０  方向性保護継電装置模擬装置、５１  動作アルゴリズム記憶手段、
５２  動作アルゴリズム読出手段、５５  動作有無判定手段、
６０  管理リスト作成手段、６１  対象機器選択段、６２  設定値等転記手段、
６３  保護方向表記手段、６５  表記方法修正手段、７０  電気回路表示装置、
７１  電気回路表示手段、７２  対象機器選択手段、７３  実電圧実電流読込手段、
７４  設定等表示手段、８１  試験装置、８５  方向性保護継電装置。
【図１】
2007189858.tif 000003
【図２】
2007189858.tif 000004
【図３】
2007189858.tif 000005
【図４】
2007189858.tif 000006
【図５】
2007189858.tif 000007
【図６】
2007189858.tif 000008
【図７】
2007189858.tif 000009
【図８】
2007189858.tif 000010
【図９】
2007189858.tif 000011
【図１０】
2007189858.tif 000012
【図１１】
2007189858.tif 000013
【図１２】
2007189858.tif 000014